(57)【特許請求の範囲】
【請求項１】
巻き揚げ機構部と、仮設部材または躯体に回転自在に取り付けられ、巻き揚げ機構部の巻取部材に連動する防護パネルと、防護パネルを設定位置で停止させる停止手段と、防護パネルと連動する吹上げ防止材と、設定位置となった防護パネルに対する吹上げ防止材の保持・解除手段とからなり、吹上げ防止材が仮設部材または躯体に回転自在に取り付けられ、設定位置となった防護パネルへの吹上げ防止材の保持手段が、吹上げ防止材の回転を邪魔することなく、防護パネルの回転方向に対して吹上げ防止材が当接する位置に設けられたストッパー部材であり、設定位置となった防護パネルからの吹上げ防止材の解除手段が、巻取部材の巻き揚げによって防護パネルが回転する前に、巻取部材が当接するように吹上げ防止材に設けられた当接部材であることを特徴とする自動開閉式落下物防護装置。
【請求項２】
巻き揚げ機構部を備える固定枠が円形断面の鋼管によって構成され、仮設部材または躯体に固定枠を取り付けるクランプが、位置可変な直交クランプである請求項１記載の自動開閉式落下物防護装置。
【発明の詳細な説明】
【０００１】
【発明の属する技術分野】
本発明は、建設工事などで、枠組足場などの仮設部材や躯体などに設置される落下物防護装置（通称、朝顔装置）に関する。
【０００２】
【従来の技術】
建設工事などで、建設資材や工具などが道路などに落下することを防止するために、枠組足場などの仮設部材や躯体からひさし状に落下物防護装置を設置する。しかし、この落下物防護装置では、クレーン等による資機材の荷揚げ・荷降し作業の邪魔になるときには一部を、また、台風などで吹き飛ばされる危険のあるときには全部を、その都度解体して取り外して、また再び取り付け直す必要がある。  このような問題を解決するものとして、例えば、特開昭６２−２４４９７６号公報に「折り畳み式養生朝顔」が開示されている。
図７に示されるこの折り畳み式養生朝顔７１は、防護パネル７２が回転自在に枠組足場７５に対して取り付けられるとともに、吹上げ防止材を兼ねた斜材７３が、外管７３ａと内管７３ｂとからなる伸縮自在の鞘管となっていて、防護パネル７２の設定位置７２Ａと折り畳み位置７２Ｂとの間の回転に追従できようにしたものである。防護パネル７２の設定位置７２Ａおよび折り畳み位置７２Ｂでの固定は、それぞれの位置で重なるように開けられた斜材７３の外管７３ａと内管７３ｂとのそれぞれのピン孔（図示せず）にピン７４を差し込んで行う。
【０００３】
【発明が解決しようとする課題】
しかし、この折り畳み式養生朝顔７１での防護パネル７２の設定位置７２Ａから折り畳み位置７２Ｂへの折り畳み作業は、枠組足場７５上の作業員がワイヤーなどで、防護パネル７２を引き上げることによって行われる。したがって、防護パネル７２は重いので大変な作業であるばかりか、設置箇所も高所であることから非常に危険な作業である。また、ピン７４をピン孔をあわせる作業も１つの防護パネル７２に対して複数の斜材７３に対して行わなければならず、防護パネル７２を引き上げる作業員以外に、他の作業員を必要としている。さらに、この折り畳み式養生朝顔７１は、建設現場に対して多数設けられるので、台風などで全てを折り畳む必要のある場合などは相当の手間と時間がかかるし、強風の中での危険な作業となることもある。
また、再び防護パネル７２を設定位置７２Ａに戻す作業についても同様なことがいえる。
【０００４】
したがって、本発明は、電動装置などの作動だけで、設定状態にしたり折り畳み状態にしたりできる自動開閉式落下物防護装置を提供することを目的とする。
【０００７】
【課題を解決するための手段】
前記課題を達成する本願請求項１に記載の自動開閉式落下物防護装置は、巻き揚げ機構部と、仮設部材または躯体に回転自在に取り付けられ、巻き揚げ機構部の巻取部材に連動する防護パネルと、防護パネルを設定位置で停止させる停止手段と、防護パネルと連動する吹上げ防止材と、設定位置となった防護パネルに対する吹上げ防止材の保持・解除手段とからなり、吹上げ防止材が仮設部材または躯体に回転自在に取り付けられ、設定位置となった防護パネルへの吹上げ防止材の保持手段が、吹上げ防止材の回転を邪魔することなく、防護パネルの回転方向に対して吹上げ防止材が当接する位置に設けられたストッパー部材であり、設定位置となった防護パネルからの吹上げ防止材の解除手段が、巻取部材の巻き揚げによって防護パネルが回転する前に、巻取部材が当接するように吹上げ防止材に設けられた当接部材であることを特徴とする。
【０００８】
したがって、防護パネルが折り畳み位置にある状態から、巻き揚げ機構部の巻取部材を巻き戻すと、防護パネルがその自重により仮設部材（例えば、枠組足場）との取付部を中心として下方向に回転した後、停止手段によって停止して設定位置に配置されるとともに、吹上げ防止材も防護パネルと連動して設定位置に配置される。この状態で風などによる吹上げ力が防護パネルに作用すると防護パネルは上方向に回転しようとするが、保持手段によって吹上げ防止材を防護パネルに拘束して防護パネルの回転を防止する。この防護パネルが設定位置にある状態から、巻き揚げ機構部の巻取部材を巻き揚げると、まず、解除手段によって吹上げ防止材が防護パネルから脱却し、次に、防護パネルが仮設部材との取付部を中心として上方向に回転した後、巻取部材を巻き揚げきった状態で防護パネルが折り畳み位置になるとともに、防護パネルに吹上げ防止材も連動して折り畳み位置となる。しかも、防護パネルが折り畳み位置にある状態から、巻き揚げ機構部の巻取部材を巻き戻すと、防護パネルがその自重により仮設部材との取付部を中心として下方向に回転した後、停止手段によって停止して設定位置に配置されるとともに、吹上げ防止材もその自重により防護パネルと連動して仮設部材との取付部を中心として下方向に回転した後に設定位置に配置される。この状態で風などによる吹上げ力が防護パネルに作用すると防護パネルは上方向に回転しようとするが、防護パネルがストッパー部材によって吹上げ防止材に当接して、防護パネルの回転を防止する。この防護パネルが設定位置にある状態から、巻き揚げ機構部の巻取部材を巻き揚げると、まず、弛緩していた巻取部材が当接部材に当接して吹上げ防止材を防護パネルから脱却させ、次に、防護パネルが仮設部材との取付部を中心として上方向に回転した後、巻取部材を巻き揚げきった状態で防護パネルが折り畳み位置になるとともに、吹上げ防止材も連動して仮設部材との取付部を中心として上方向に回転して折り畳み位置となる。
【０００９】
請求項２に記載の自動開閉式落下物防護装置は、巻き揚げ機構部を備える固定枠が円形断面の鋼管によって構成され、仮設部材または躯体に固定枠を取り付けるクランプが、位置可変な直交クランプであることを特徴とする。
【００１０】
したがって、この場合、固定枠の構成部材を円形断面の鋼管とし、クランプが、位置可変な直交クランプであることから溶接などで固定する必要がなくなり、その配置位置も自由となる。
【００１１】
【発明の実施の形態】
本発明による自動開閉式落下物防護装置の一実施の形態ついて説明する。
図１に示される自動開閉式落下物防護装置１（以下、落下物防護装置１という）は、固定枠１１と、巻き揚げ機構部である電動式のチェーンブロック２１と、防護パネル３１と、吹上げ防止材４１とからなる。
固定枠１１は、角形鋼管製の、両端鉛直材１２ａ、１２ｂと、中央鉛直材１３ａ、１３ｂと、上部水平材１４ａ、１４ｂ、１４ｃと、下部水平材１５とで構成される。上部水平材１４ａ、１４ｃと、下部水平材１５には、仮設部材である枠組足場５１の建枠支柱５２に取り付けるためのクランプ１６が、プレート１７を介して溶接固定されている。クランプ１６の配置位置および箇所数は、固定枠１１（すなわち落下物防護装置１）の水平方向の寸法および枠組足場５１の建枠支柱５２の配置間隔に応じて設けるとよい。また、クランプ１６は、この場合、固定枠１１の構成部材を角形鋼管としたのでプレート１７を介して溶接固定したが、固定枠１１の構成部材を円形断面の鋼管とすれば直交クランプ（いずれも図示せず）を用いることができ、溶接などで固定する必要がなくなり、その配置位置も自由となる。
巻き揚げ機構部として電動式のチェーンブロック２１を使用し、固定枠１１の中央鉛直材１３ａ、１３ｂの中間の上部に配置している。チェーンブロック２１からの巻取部材であるチェーンは２２は、図２に示される防護パネル３１の中央材３２ｃに設けられた取付部材３９に連結する。
防護パネル３１は、角形鋼管製の、主材３２ａ、３２ｂと、繋ぎ材３３ａ、３３ｂと、中央材３２ｃとで枠体を構成される。防護パネル３１の下面全面には、面材３４が設けてあって、この面材３４が、落下物を直接受け止める面を形成する。面材３４としては、合板パネルを使用しているが、波板やネットなど落下物を受け止めることができるものであればよい。また、防護パネル３１は固定枠１１に対して回転可能に取り付けられている。この場合、図２に示される固定枠１１に設けられた鋼製のプレート１８と防護パネル３１に設けられた鋼製のプレート３５とがピン３６によって接合される構造とし、防護パネル３１の主材３２ａ、３２ｂ、中央材３２ｃの位置に設けられている。したがって、防護パネル３１は、固定枠１１を介して仮設部材である枠組足場５１に回転可能に取り付けられることになる。また、図１に示される繋ぎ材３３ａの中間部には吹上げ防止材の保持手段であるストッパー部材３７が設けられていて、ストッパー部材３７は図５に示される山形鋼製の保持アングル３７ａと鋼製の保持プレート３７ｂとからなる。また、図１に示される防護パネル３１は、主材３２ａと、固定枠１１の上部水平材１４ａとを連結するように設けられた停止手段であるチェーン３８ａを備え、同じく、主材３２ｂと、固定枠１１の上部水平材１４ｃとを連結するように設けられた停止手段であるチェーン３８ｂとを備える。
吹上げ防止材４１は、角形鋼管製の縦材４２ａ、４２ｂと、縦材４２ａ、４２ｂの中間部を連結するように設けられた防護パネル３１からの解除手段である角鋼製の当接部材４３と、縦材４２ａ、４２ｂの先端部を連結するように設けられたアングル４４とで構成される。アングル４４は、防護パネル３１に設けられたストッパー部材３７の被ストッパー部を形成する。縦材４２ａ、４２ｂの基端部は、それぞれ固定枠１１の中央鉛直材１３ａ、１３ｂに対してピン４５によって回転可能に取り付けられている。したがって、吹上げ防止材４１も、固定枠１１を介して仮設部材である枠組足場５１に回転可能に取り付けられることになる。
【００１２】
ここで、落下物防護装置１の動作を説明するとともに、各部の機能について説明する。
図２（および図１）に示される落下物防護装置１は、巻取部材であるチェーン２２が巻き戻されて弛緩した状態にあり、停止手段であるチェーン３８ｂ（および３８ａ）がぴんと張って設定位置（この場合、防護パネル３１の水平とのなす角度θ＝２５°程度）に防護パネル３１を配置している。このとき、図５に示されるように、吹上げ防止材４１は防護パネル３１の保持プレート３７ｂに保持されているだけで、上方向Ｂに回転可能な状態にある。この防護パネル３１に図６に示される風による吹上げ力Ｃなどが作用すると、防護パネル３１は上方向Ａに回転しようとするが、保持アングル３７ａが、吹上げ防止材４１のアングル４４と噛み合って、防護パネル３１の吹上げによる回転が防止される。風が止んで、吹上げ力Ｃが作用しなくなると、再び図５に示される元の状態に戻る。
【００１３】
この落下物防護装置１が、図２に示される設定状態から、図４に示される折り畳み状態となる動作について説明する。
まず、図２に示される電動式のチェーンブロック２１の操作レバー２３を操作すると、内部の駆動モータ２４によってチェーン２２の巻き揚げが開始される。次第に巻き揚げられていくチェーン２２は、防護パネル３１を上方向Ａにピン３６を中心として回転させる前に、吹上げ防止材４１の当接部材４３に当接して、図３に示されるように、吹上げ防止材４１を上方向Ｂにピン４５を中心として回転させて、防護パネル３１から離脱させる。チェーン２２がさらに巻き上げられると、防護パネル３１の上方向Ａへの回転が始まり、この場合では、ストッパー部材３７が吹上げ防止材４１に当接しながら押し上げることで、吹上げ防止材４１が防護パネル３１に連動して、図４に示される折り畳み位置に配置される。チェーン２２の巻き揚げはリミットスイッチ（図示せず）によって自動的にこの位置で停止するようになっている。
【００１４】
次に、落下物防護装置１が、図４に示される折り畳み状態から、図２に示される設定状態となる動作について説明する。
まず、図４に示される電動式のチェーンブロック２１の操作レバー２３を操作すると、内部の駆動モータ２４によってチェーン２２の巻き戻しが開始される。チェーン２２の巻き戻しに伴って、防護パネル３１はその自重によって、下方向Ａ′にピン３６を中心として回転するとともに、吹上げ防止材４１もその自重によって防護パネル３１のストッパー部材３７に当接しながら防護パネル３１に連動して下方向Ｂ′にピン４５を中心として回転する。チェーン２２の巻き戻しが進んで、図２に示されるチェーン３８ｂ（および３８ａ）がぴんと張って防護パネル３１が設定位置に配置される。このとき、防護パネル３１に連動していた吹上げ防止材４１も防護パネル３１の保持プレート３７ｂに保持されて配置される。チェーン２２の巻き戻しはリミットスイッチ（図示せず）によって、ある程度チェーン２２が弛緩した状態で停止するようになっている。
【００１５】
本発明は、以上の一実施の形態に限定されない。例えば、自動開閉式落下物防護装置を取り付ける仮設部材として、枠組み足場に換えて、取付けプレートを躯体に設けて、固定枠およびクランプを介さず直接に、防護パネル、吹上げ防止材を回転自在に設けることもできる。また、吹上げ防止材の防護パネルとの連動についても、双方が当接して行うほかに、可動ヒンジなどを利用して連結して行うこともできる。また、巻き揚げ機構部および巻取部材は、防護パネルを上下に回転させることができるものであれば、電動式のチェーンブロックおよびチェーンには限られず、防護パネルの停止部材、吹上げ防止材の防護パネルに対する保持・解除手段であるストッパー部および当接部材などについても、その要旨を逸脱しない範囲で構造・形状・材質などの変更が可能である。
また、実施の形態では吹上げ防止材を備えたものについて説明したが、必ずしも吹上げ防止材を必要としないことはいうまでもない。例えば、防護パネルが、少なくとも１平方メートル当たり５ｋｇの自重を有すれば、風によって吹き上げられることもなくなるからである。
【００１６】
【発明の効果】
本発明によれば、巻き揚げ機構部の作動だけで、防護パネルを設定状態にしたり折り畳み状態にしたりできる、さらに吹上げ防止材およびその保持・解除手段を備えれば、巻き揚げ機構部の作動だけで、防護パネルおよび吹上げ防止材を設定状態にしたり折り畳み状態にしたりできるので、作業が簡単で迅速で一人でもできるとともに、枠組足場など高所での危険な作業を必要としない。また、現場での装置本体の組み立て作業をなくすことができるので、枠組足場などの仮設部材や躯体などに対する取り付け、取り外し作業も容易である。
【図面の簡単な説明】
【図１】本発明の一実施の形態である自動開閉式落下物防護装置を説明する斜視図
【図２】本発明の一実施の形態の動作を説明する断面図（その１）
【図３】本発明の一実施の形態の動作を説明する断面図（その２）
【図４】本発明の一実施の形態の動作を説明する断面図（その３）
【図５】本発明の一実施の形態の機能を説明する断面図（その１）
【図６】本発明の一実施の形態の機能を説明する断面図（その２）
【図７】従来の技術の説明図
【符号の説明】
１  自動開閉式落下物防護装置
２１  巻き揚げ機構部である電動式のチェーンブロック
２２  巻き取り部材であるチェーン
３１  防護パネル
３７  吹上げ防止材の保持手段であるストッパー部材
３７ａ  ストッパー部材である保持アングル
３７ｂ  ストッパー部材である保持プレート
３８ａ、３８ｂ  停止手段であるチェーン
４１  吹上げ防止材
４３  防護パネルからの解除手段である当接部材
４４  ストッパー部材の被ストッパー部となるアングル
５１  仮設部材である枠組足場
【図１】
0003780379.tif 000002
【図２】
0003780379.tif 000003
【図３】
0003780379.tif 000004
【図４】
0003780379.tif 000005
【図５】
0003780379.tif 000006
【図６】
0003780379.tif 000007
【図７】
0003780379.tif 000008